(57)【特許請求の範囲】
【請求項１】
第一の筐体と、
第二の筐体と、
前記第一の筐体に固定され、レールが備えられたレールプレートと、
前記第二の筐体に固定され、前記第一の筐体に固定された前記レールプレートに備えられた前記レールと嵌め合わされて前記第一の筐体と第二の筐体をスライド自在に結合させるスライダが備えられたスライドプレートと、
前記レールの端部にそれぞれ当接された弾性体からなる導通性ゴムで構成された導通部材とを備え、
前記導通部材は、前記第一の筐体と第二の筐体とがスライドして開いた状態である場合、および前記第一の筐体と第二の筐体とが閉じた状態である場合に、前記レールの端部に加え前記スライダとも当接されることを特徴とする携帯端末装置。
【発明の詳細な説明】
【技術分野】
【０００１】
本発明は、携帯端末装置に係り、特に筐体間がスライド自在に結合されているスライド式の携帯端末装置に関する。
【背景技術】
【０００２】
近年、携帯電話機などの携帯端末装置は、音声通話使用時や操作キーの操作性を重視した各種の形態を有する携帯端末装置が提供されている。この携帯端末装置のうち、音声通話使用時や操作キーの操作性と装置の小型化との要請を両立させるべく、互いに連結された二つの筐体で構成した携帯端末装置が提供されている。
【０００３】
従来、例えば一方の筐体に各種の操作キーを有する操作部を設け、他方の筐体にこの筐体の大部分を占める表示部を設けて、この筐体間を電気的に接続した構成を採用した折りたたみ式やスライド式の携帯端末装置がある。
【０００４】
このスライド式の携帯端末装置は、第一の筐体としての上筐体と第二の筐体としての下筐体がスライド機構によりスライド自在に結合され、これらの筐体が開いた状態や、ほぼ重なり合った閉じた状態をとることで用途に応じて操作性を向上させることができる。
【０００５】
一方で、スライド式の携帯端末装置の開いた状態および閉じた状態であっても安定した無線性能を得るために、スライド機構を介して上下筐体内を導通させることにより上下筐体内のグランドを電気的に接続するように構成する技術が提案されている（例えば、特許文献１参照。）。
【０００６】
ここで、図５に示すように、上筐体（図示せず）に固定されるレールプレート２１と、下筐体（図示せず）に固定されるスライドプレート２２とのスライドをスムーズに行うために設けられる一対のアシストバネ２４から構成されるスライド機構２０がある。このスライド機構２０のアシストバネ２４の一端は、レールプレート２１に固定されたバネ固定部２５に巻きつけられて固定され、他端はスライドプレート２２に固定される。
【０００７】
このようなスライド機構２０を備えたスライド式の携帯端末装置において、スライド機構２０を介して上下筐体を導通させて安定した無線性能を得るため、レールプレート２１に固定されたバネ固定部２５とこれに巻きつけられて固定されたアシストバネ２４を利用してレールプレート２１とスライドプレート２２との導通を行う方法がある。これにより、レールプレート２１とスライドプレート２２とにそれぞれ固定された上筐体および下筐体に収納された回路基板などを電気的に接続させることができる。
【０００８】
さらに、図１０に示すように、図５のスライドプレート２２に、レールプレート２１と接触しながらスライドする接点バネ５０をさらに備えるスライド機構２０がある。このようなスライド機構２０を備えたスライド式の携帯端末装置においては、接点バネ５０がスライド時に常にレールプレート２１と接触することにより、レールプレート２１とスライドプレート２２との導通を行う方法がある。これにより、レールプレート２１とスライドプレート２２とにそれぞれ固定された上筐体および下筐体に収納された回路基板などを電気的に接続させることができる。
【特許文献１】特開２００６−３３３３８７号公報
【発明の開示】
【発明が解決しようとする課題】
【０００９】
特許文献１に開示されたスライド式携帯無線端末は、スライド機構としての導通性能を備えた導電部材（スライドパーツ）とレール溝とは、上下筐体のスライド時には常に接触状態にある。このため、導電部材とレール溝とのスライド動作の回数が増すにつれて部材間での磨耗が生じ、部材間の接触状態が不安定となるという課題があった。
【００１０】
また、図５に示すスライド機構２０に備えられたアシストバネ２４は、本来レールプレート２１とスライドプレート２２とのスライドをスムーズに行うために設けられるため、スライドの性能を向上させるためにグリースなどの潤滑剤が塗布される。この潤滑剤は絶縁性を備えるため、バネ固定部２５とこれに巻き付けられて固定されたアシストバネ２４とを利用してレールプレート２１とスライドプレート２２を導通させることでは、上筐体と下筐体とを安定して電気的に接続させることができない。
【００１１】
さらに、図１０に示すスライド機構２０に備えられた接点バネ５０は、特許文献１に開示されたスライド機構と同様に、上下筐体のスライド時には常に接触状態にあるため、スライド動作の回数が増すにつれて磨耗による部材間の接触状態が不安定となるという課題があった。
【００１２】
本発明はこのような事情を考慮してなされたもので、スライド式の携帯端末装置が開いた状態および閉じた状態である場合に各筐体を好適に導通させて、各筐体内に収納された回路基板などの安定した電気的な接続状態を確保することができる携帯端末装置を提供することを目的とする。
【課題を解決するための手段】
【００１３】
本発明に係る携帯端末装置は、上述した課題を解決するために、第一の筐体と、第二の筐体と、前記第一の筐体に固定され、レールが備えられたレールプレートと、前記第二の筐体に固定され、前記第一の筐体に固定された前記レールプレートに備えられた前記レールと嵌め合わされて前記第一の筐体と第二の筐体をスライド自在に結合させるスライダが備えられたスライドプレートと、前記レールの端部にそれぞれ当接された弾性体からなる導通部材とを備え、前記導通部材は、前記第一の筐体と第二の筐体とがスライドして開いた状態である場合、および前記第一の筐体と第二の筐体とが閉じた状態である場合に、前記レールの端部に加え前記スライダとも当接されることを特徴とする。
【発明の効果】
【００１４】
本発明に係る携帯端末装置は、スライド可能に結合された二つの筐体が開いた状態および閉じた状態である場合に、筐体間の安定した電気的接触状態を確保することができる。
【発明を実施するための最良の形態】
【００１５】
本発明に係る携帯端末装置の実施形態を添付図面に基づいて説明する。
【００１６】
図１は、本発明に係る携帯端末装置の一例であるスライド式の携帯電話機１の外観の構成を表している。なお、図１（Ａ）は、スライド式の携帯電話機１を閉じた状態としたときの外観の構成を表す斜視図を表しており、図１（Ｂ）は、スライド式の携帯電話機１を開いた状態としたときの外観の構成を表す斜視図を表している。
【００１７】
図１（Ａ）および（Ｂ）に示されるように、携帯電話機１は、図示しないスライド機構を介してスライド可能に結合された上筐体１２と下筐体１３とを有している。これらの上筐体１２と下筐体１３とは、スライド機構を介して上筐体１２と下筐体１３とが互いに矢印Ｘ方向にスライド可能に設けられる。これらの上筐体１２と下筐体１３とは、相対的に互いに長手方向に沿ってスライドされて、携帯電話機１を収縮させた図１（Ａ）の閉じた状態、および伸長させた図１（Ｂ）の開いた状態の二つの形態をとる。
【００１８】
矩形状に構成された上筐体１２には、その表面の大部分を占めるディスプレイ１４が設けられている。ディスプレイ１４は、例えばＬＣＤ（Ｌｉｑｕｉｄ  Ｃｒｙｓｔａｌ  Ｄｉｓｐｌａｙ）、有機ＥＬディスプレイ（ＥｌｅｃｔｒｏＬｕｍｉｎｅｓｃｅｎｃｅ  Ｄｉｓｐｌａｙ）、無機ＥＬディスプレイ（ｉｎｏｒｇａｎｉｃ  ｅｌｅｃｔｒｏＬｕｍｉｎｅｓｃｅｎｃｅ  Ｄｉｓｐｌａｙ）、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）により構成されるディスプレイである。ディスプレイ１４には、電波の受信状態、電池残量、電話帳として登録されている相手先名や電話番号および送信履歴などの他、電子メールの内容、簡易ホームページなどが表示される。
【００１９】
ディスプレイ１４の上部の所定の位置にはレシーバ（受話器）１５が設けられており、これにより、ユーザは音声通話することが可能である。なお、携帯電話機１の所定の位置には、レシーバ１５以外の音声出力部としてのスピーカ（図示せず）も設けられている。
【００２０】
またディスプレイ１４の下部には、サブ操作キー１６が設けられる。サブ操作キー１６は、主に携帯電話機１が閉じた状態であるときに必要とされる通話キーや終話キーなどの各種操作キーが配置される。例えば、携帯電話機１を閉じた状態でも電話の着信を受けたい場合は、着信が割り当てられた通話キーを配置または必要に応じてユーザ側でキーの機能を割り当てる。
【００２１】
下筐体１３には、図１（Ｂ）に示すように、携帯電話機１が開いた状態であるときに露出して使用可能な状態となる操作キー１７がその表面に設けられており、操作キー１７を用いて各種指示を入力することができる。操作キー１７の下部にはマイクロフォン１８が設けられており、マイクロフォン１８によって通話時のユーザの音声を集音する。また、下筐体１３の内部の所定の位置には、図示しない送受信用のアンテナが設けられており、内蔵されたアンテナを介して基地局との間で電波を送受信する。なお、下筐体１３は、背面側に図示しないバッテリパックが挿着されており、例えば終話・電源キーがオン状態に押下されると、バッテリパックから各回路部に対して電力が供給されて動作可能な状態に起動する。
【００２２】
図２は、携帯電話機１の上筐体１２、下筐体１３およびスライド機構２０の分解斜視図である。上筐体１２と下筐体１３との間に設けられたスライド機構２０のレールプレート２１は、上筐体１２の背面側に図示しないネジを介して固定され、上筐体１２の内部に収納された回路基板と電気的に接続している。また、スライド機構２０のスライドプレート２２は、下筐体１３の正面側に図示しないネジを介して固定され、下筐体１３の内部に収納された回路基板と電気的に接続している。携帯電話機１は、このスライド機構２０を介して上筐体１２と下筐体１３とが長手方向（図１のＸ軸方向）に互いにスライドして、開いた状態および閉じた状態をとる。
【００２３】
図３は、図２に示すスライド機構２０の外観の構成を示す斜視図である。図３（Ａ）はスライド機構２０の外観の構成を示す斜視図であり、（Ｂ）は図３（Ａ）のスライド機構２０の背面から見た外観の構成を示す斜視図である。
【００２４】
図４は、スライド機構２０の他の外観の構成を示す図であり、（Ａ）は、図３（Ｂ）のスライド機構２０の外観を示す平面図、（Ｂ）は図４（Ａ）のスライド機構２０の側面図である。また、図４（Ｃ）は図４（Ａ）のスライド機構２０のＡ−Ａ間の断面図、図４（Ｄ）は図４（Ｃ）のレール２１ａを拡大した図である。
【００２５】
図５は、スライド機構２０の分解斜視図である。
【００２６】
このスライド機構２０は、レールプレート２１と、このレールプレート２１に対してスライド自在に設けられたスライドプレート２２とを備える。また、レールプレート２１とスライドプレート２２は、アシストバネ２４を介して結合されている。このレールプレート２１とスライドプレート２２とは、導通性を備える部材で構成される。
【００２７】
レールプレート２１は、上筐体１２の長手方向に沿って延びた矩形の平板部２１ｂを有している。この平板部２１ｂの左右側縁には、それぞれ長手方向に沿って延びた一対のレール２１ａが形成される。このレール２１ａは、スライド時におけるスライドプレート２２との接触による磨耗を防止するため、図４（Ｃ）および（Ｄ）に示すように、例えば樹脂からなるレールカバ２１ｃで覆われている。
【００２８】
スライドプレート２２は、平板部２２ｂと左右側縁に設けられた略凹字形の一対のスライダ２２ａで形成される。スライドプレート２２は図４（Ｃ）に示すように、略凹字形の断面形状を有しており、スライドプレート２２の左右側縁に設けられたスライダ２２ａを介して、レールプレート２１のレール２１ａと結合される。これによりスライドプレート２２は、スライドプレート２２の平板部２２ｂをレールプレート２１の平板部２１ｂと対向させながらスライド自在に結合される。またスライドプレート２２は、レール２１ａの長手方向の範囲内においてスライド可能なように構成される。
【００２９】
レールプレート２１のほぼ中央部には、レールプレート２１の軸を対称として配置された伸縮自在な一対のアシストバネ２４の一端が取り付けられる。図５に示すように、このアシストバネ２４の一端は、レールプレート２１の平板部２１ｂに固定されたバネ固定部２５に巻きつけられて固定される。また、アシストバネ２４の他端は、スライドプレート２２の平板部２２ｂに固定されたバネ固定部２６に巻きつけられて固定される。
【００３０】
アシストバネ２４により結合されたレールプレート２１およびスライドプレート２２は、アシストバネ２４の伸縮力を利用することで状態の維持およびスムーズなスライドを行う。
【００３１】
アシストバネ２４は、携帯電話機１が閉じている状態である場合には、常に閉じた状態となる方向の伸縮力をレールプレート２１およびスライドプレート２２に対して付与している。また、開いた状態である場合には、常に開いた状態となる方向の伸縮力をレールプレート２１およびスライドプレート２２に対して付与している。さらに閉じた状態から開いた状態および開いた状態から閉じた状態への変位を行う場合には、変位方向に対して伸縮力を付与することで、レールプレート２１およびスライドプレート２２はスムーズなスライドを行う。
【００３２】
具体的には、携帯電話機１が閉じた状態から開いた状態に移行するように操作された場合、レールプレート２１とスライドプレート２２とが相対的に所定量変位するまでは携帯電話機１が閉じた状態となる方向に向かってアシストバネ２４の伸縮力が働く。その後、レールプレート２１とスライドプレート２２とが所定量変位した際、アシストバネ２４の伸縮力の方向が逆方向に変化して、携帯電話機１が開いた状態となる方向に向かって伸縮力が働く。このとき、レールプレート２１およびスライドプレート２２は、アシストバネ２４の伸縮力によって付勢されて、開いた状態にスムーズに遷移する。また、開いた状態から閉じた状態に移行する場合は、これとは逆の伸縮力がアシストバネ２４から付与されて、レールプレート２１およびスライドプレート２２はスムーズにスライドを行う。
【００３３】
一方、上筐体１２の背面には、レールプレート取付部が設けられる。
【００３４】
図６は、上筐体１２の背面側の外観構成図であって、スライド機構２０と一組の上導通部材３１および下導通部材３２が取り付けられた上筐体１２を背面側（下筐体１３の表面側と対向する面）から見た斜視図である。図７は、上筐体１２、スライド機構２０および上導通部材３１を示す分解斜視図である。なお、図６（Ａ）に示すＸ軸方向を上方向として説明を行う。
【００３５】
図７に示す上筐体１２の背面側には、レールプレート２１がネジ３３によって取り付けられるレールプレート取付部３０が設けられる。このレールプレート取付部３０は、レールプレート２１が取り付けられた場合に上筐体１２の背面とほぼ同じ高さとなるように、上筐体１２の背面よりも低く形成される。
【００３６】
レールプレート取付部３０の長手方向の寸法は、レールプレート２１の長手方向とほぼ同じ寸法で構成される。短辺方向の寸法は、レールプレート２１の短辺方向よりも大きい寸法で構成され、図６（Ａ）に示すようにレールプレート２１がレールプレート取付部３０に取り付けられた際に、レールプレート２１のレール２１ａに嵌め合わされたスライドプレート２２がスライド自在となる程度の間隙が設けられる。
【００３７】
このレールプレート取付部３０には、レールプレート２１のほかに、図６に示すように一組の上導通部材３１および下導通部材３２が取り付けられる。
【００３８】
上導通部材３１は、レールプレート取付部３０にレールプレート２１が取り付けられた際に、レール２１ａの上先端部２１ｄと当接する位置に取り付けられる。また、上導通部材３１は、レールプレート２１のレール２１ａに嵌め合わされてスライド自在に結合されたスライドプレート２２がレール２１ａの上先端部２１ｄ側に位置する場合、つまり携帯電話機１が閉じた状態である場合、スライドプレート２２に設けられたスライダ２２ａの上先端部２２ｄと当接する位置に取り付けられる。
【００３９】
この上導通部材３１は、上筐体１２の背面側を構成する上筐体ケース３５の内部方向から一部がレールプレート取付部３０に突出するように取り付けられる。
【００４０】
図８は、上筐体１２の背面側の外観の構成を示す図であり、（Ａ）は、図７の上筐体１２の背面側の外観の構成を示す平面図、（Ｂ）は図８（Ａ）の上筐体１２のＢ−Ｂ間の断面図である。また、図８（Ｃ）は図８（Ａ）の上筐体１２の背面側のＢ−Ｂ間の断面図を斜視的に示す図、（Ｄ）は図８（Ｂ）の上導通部材３１を特に拡大した図である。
【００４１】
図８（Ｂ）に示すように、上導通部材３１の突出部３１ａのみがレールプレート取付部３０から突出する。また、図８（Ａ）に示すように、スライドプレート２２がレール２１ａの上先端部２１ｄに位置する場合、スライダ２２ａの上先端部２２ｄとこの突出部３１ａとが当接する。
【００４２】
図９は、上筐体１２の背面側の他の外観の構成を示す図であり、携帯電話機１が開いた状態である場合のスライド機構２０を特に説明する図である。
【００４３】
下導通部材３２は、レールプレート取付部３０にレールプレート２１が取り付けられた際に、レール２１ａの下先端部２１ｅと当接する位置に取り付けられる。また、下導通部材３２は、レールプレート２１のレール２１ａに嵌め合わされてスライド自在に結合されたスライドプレート２２がレール２１ａの下先端部２１ｅに位置する場合、つまり携帯電話機１が開いた状態である場合、スライドプレート２２に設けられたスライダ２２ａの下先端部２２ｅと当接する位置に取り付けられる。
【００４４】
ここで、上導通部材３１および下導通部材３２について説明する。
【００４５】
従来、上筐体１２と下筐体１３とがスライドされ、携帯電話機１が開いた状態から閉じた状態へ移行された場合、および閉じた状態から開いた状態へ移行された場合、アシストバネ２４の伸縮力を利用して勢いよくスライドすることで発生する接触圧力によるスライダ２２ａから受ける衝突および衝撃音を緩衝させるために、スライダ２２ａが当接する箇所にはクッション性を備えるストッパが設けられていた。
【００４６】
このストッパは、スライダ２２ａから受ける衝撃や衝撃音を緩衝させることができるエラストマなどの弾性体などで構成されていた。
【００４７】
本実施形態においては、従来スライダ２２ａの先端部と当接するように設けられていたストッパを導通性を備える部材で構成することで、導通部材としての機能をさらに付与する。さらに、レール２１ａとスライダ２２ａの先端部とが導通部材を介して導通するように構成することにより、レールプレート２１とスライドプレート２２との電気的接触を確保することができる。
【００４８】
上導通部材３１および下導通部材３２は、導通性およびクッション性を備える部材で構成される。例えば導電性ゴムや、蒸着やメッキを施すことにより金属膜が形成されたエマストラなどの弾性体で構成される。
【００４９】
次に、本実施形態における携帯電話機１が開いた状態および閉じた状態である場合の上筐体１２と下筐体１３との電気的な接触状態について説明する。
【００５０】
携帯電話機１が図１（Ａ）に示す上筐体１２と下筐体１３とがほぼ重なり合った閉じた状態である場合、上筐体１２の背面側に取り付けられたスライド機構２０は、図６（Ａ）のようになっている。このとき、上導通部材３１は、レールプレート２１のレール２１ａの上先端部２１ｄと当接する。また、上導通部材３１は、レールプレート２１のレール２１ａに嵌め合わされてスライド自在に結合されたスライドプレート２２のスライダ２２ａの上先端部２２ｄと当接する。このため、レール２１ａの上先端部２１ｄとスライダ２２ａの上先端部２２ｄとが共に上導通部材３１に当接しており、この結果導通性を備える上導通部材３１を介してレール２１ａを備えるレールプレート２１と、スライダ２２ａを備えるスライドプレート２２とは導通することができる。よって、レールプレート２１が導通された固定された上筐体１２と、スライダ２２ａと導通された固定された下筐体１３とは電気的な接触を確保することができる。
【００５１】
また、携帯電話機１が図１（Ａ）に示す上筐体１２と下筐体１３とが閉じた状態から、図１（Ｂ）に示すスライドされて開いた状態に移行した場合、上筐体１２の背面側に取り付けられたスライド機構２０は、図９のようになっている。このとき、下導通部材３２は、レールプレート２１のレール２１ａの下先端部２１ｅと当接する。また、下導通部材３２は、レールプレート２１のレール２１ａに嵌め合わされてスライド自在に結合されたスライドプレート２２のスライダ２２ａの下先端部２２ｅと当接する。このため、レール２１ａの下先端部２１ｅとスライダ２２ａの下先端部２２ｅとが共に下導通部材３２に当接しており、この結果導通性を備える下導通部材３２を介してレール２１ａを備えるレールプレート２１と、スライダ２２ａを備えるスライドプレート２２とは導通することができる。よって、レールプレート２１が導通された固定された上筐体１２と、スライダ２２ａと導通されて固定された下筐体１３とは電気的な接触を確保することができる。
【００５２】
この携帯電話機１によれば、携帯電話機１が閉じた状態であるときに当接される一組の上導通部材３１、および閉じた状態であるときに当接される一組の下導通部材３２を介して、レールプレート２１およびスライドプレート２２を安定して導通させることができる。この結果、例えばアンテナを備えた下筐体１３に固定されたスライドプレート２２とレールプレート２１との導通状態により変化する無線性能を安定させることができる。
【００５３】
また、携帯電話機１が開いた状態および閉じた状態に移行したとき、アシストバネ２４の伸縮力を利用してスライドプレート２２のスライダ２２ａが上導通部材３１と下導通部材３２とに衝突するため、スライダ２２ａと上導通部材３１および下導通部材３２は圧接され、この接触圧力により接続状態を良好に保つことができる。
【００５４】
さらに、上導通部材３１と下導通部材３２とは従来のストッパとしての機能にさらに導通性を備えたものであるため、レールプレート２１とスライドプレート２２とを導通させるための部材を特に必要とせず、部品点数の増加を避けることができ生産性を向上させることができる。
【００５５】
さらにまた、携帯電話機１の状態を移行させるスライド時には、レールプレート２１およびスライドプレート２２を導通させるための導通部材との接触は行われないため、スライド時の接触により磨耗が生じることもなく、スライド回数が増加しても安定した接触状態を維持することができる。また、磨耗により部材が削れて外観を損ねることがない点においても有効である。
【００５６】
また、上導通部材３１と下導通部材３２とは、上筐体１２の背面側に取り付けられると説明したが、これに限らずレールプレート２１の一対のレール２１ａの上先端部２１ｄおよび下先端部２１ｅに取り付けるようにしてもよい。
【００５７】
なお、本発明に係る携帯端末装置は、携帯電話機以外にもＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の携帯端末装置にも適用することができる。
【図面の簡単な説明】
【００５８】
【図１】本発明に係る携帯端末装置の一例であるスライド式の携帯電話機の外観の構成を示す図であり、（Ａ）は携帯電話機を閉じた状態の斜視図（Ｂ）は携帯電話機を開いた状態の斜視図。
【図２】本実施形態における携帯電話機の分解斜視図。
【図３】本実施形態における携帯電話機のスライド機構の外観の構成を示す斜視図であり、（Ａ）はスライド機構の外観の構成を示す斜視図、（Ｂ）は図３（Ａ）のスライド機構の背面の外観の構成を示す斜視図。
【図４】本実施形態における携帯電話機のスライド機構の他の外観の構成を示す図であり、（Ａ）はスライド機構の外観を示す平面図、（Ｂ）はスライド機構の側面図、（Ｃ）は図４（Ａ）のスライド機構のＡ−Ａ間の断面図、（Ｄ）は図４（Ｃ）のレールの拡大図。
【図５】本実施形態における携帯電話機のスライド機構の分解斜視図。
【図６】本実施形態における携帯電話機の上筐体の背面側の外観の構成を示す斜視図。
【図７】本実施形態における携帯電話機の上筐体の背面側の構成を示す分解斜視図。
【図８】本実施形態における携帯電話機の上筐体の背面側の外観の構成を示す図であり、（Ａ）は上筐体の背面側の平面図、（Ｂ）は図８（Ａ）の上筐体のＢ−Ｂ間の断面図、（Ｃ）は図８（Ａ）の上筐体のＢ−Ｂ間の断面図を斜視的に示す図、（Ｄ）は図８（Ｂ）の上導通部材を特に拡大した図。
【図９】本実施形態における携帯電話機の上筐体の背面側の他の外観の構成を示す図。
【図１０】従来のスライド機構の外観の構成を示す斜視図。
【符号の説明】
【００５９】
１  携帯電話機
１２  上筐体
１３  下筐体
１４  ディスプレイ
１５  レシーバ
１６  サブ操作キー
１７  操作キー
１８  マイクロフォン
２０  スライド機構
２１  レールプレート
２１ａ  レール
２１ｂ  平板部
２１ｃ  レールカバ
２１ｄ  上先端部
２１ｅ  下先端部
２２  スライドプレート
２２ａ  スライダ
２２ｂ  平板部
２２ｄ  上先端部
２２ｅ  下先端部
２４  アシストバネ
２５、２６  バネ固定部
３０  レールプレート取付部
３１  上導通部材
３１ａ  突出部
３２  下導通部材
３３  ネジ
３５  上筐体ケース
【図１】
0005023364.tif 000002
【図２】
0005023364.tif 000003
【図３】
0005023364.tif 000004
【図４】
0005023364.tif 000005
【図５】
0005023364.tif 000006
【図６】
0005023364.tif 000007
【図７】
0005023364.tif 000008
【図８】
0005023364.tif 000009
【図９】
0005023364.tif 000010
【図１０】
0005023364.tif 000011